(57)【要約】【課題】手動式のシャッター装置に、抉じ開けを検知する防犯装置を設ける構成とする。【解決手段】シャッターカーテン１の座板１ｃに配されるストッパ部材６にマグネット７を設ける一方、ガイドレール４に、バッテリユニット１６と、マグネットの検知に基づいてシャッターカーテン１の全閉状態を検知して全閉検知信号を出力する検知センサ１２と、シャッターカーテン１の開放に伴い報知作動するブザー装置１３と、ブザー装置１３の報知作動を規制するべく報知規制信号を出力する報知規制スイッチ１９と、報知規制信号の入力がない状態で全閉検知信号の入力がなくなることを抉じ開け検知と判断し、ブザー装置１３を報知作動させる防犯制御部１５とを備えた防犯装置５を設ける構成とする。【選択図】図１
2008057230.tif 000002
【特許請求の範囲】
【請求項１】
躯体開口部に設けたシャッターカーテンを手動で開閉操作する手動式の建築用シャッター装置において、シャッターカーテンに検知体を設ける一方、躯体側には、電源供給手段と、前記検知体の検知に基づいてシャッターカーテンの全閉状態を検知して全閉検知信号を出力する全閉検知手段と、シャッターカーテンの開閉状態を報知する報知手段と、報知手段の報知作動を規制するべく報知規制信号を出力する報知規制手段と、報知規制信号の入力がない状態で全閉検知信号の入力がなくなることを抉じ開けと判断し、報知手段を報知作動させる防犯制御手段とにより構成された防犯装置が設けられている手動式建築用シャッター装置における防犯装置。
【請求項２】
防犯装置は、開閉方向に長く形成された薄型長尺状のケース体に、各手段を開閉方向並列状に収容するものとする一方、前記ケース体は、シャッターカーテンの両側縁部を移動案内するガイドレールの下端部に設けられている請求項１に記載の手動式建築用シャッター装置における防犯装置。
【請求項３】
報知手段は、発音口から警報音を発音する発音装置により構成されるものとし、発音装置は、ケース体の側面に近接対向して配設され、警報音は、ケース体側面の反射音とともにケース体開口部から外部に放出するように構成されている請求項２に記載の手動式建築用シャッター装置における防犯装置。
【請求項４】
報知規制手段は、マイクロスイッチにより構成されるものとし、ケース体には、マイクロスイッチのスイッチ部を出没操作するためのスイッチ操作体が、スイッチ部の外形より大きな操作面積を備えて形成されている請求項２または３に記載の手動式建築用シャッター装置における防犯装置。
【請求項５】
報知手段は、状態報知灯により構成されるものとし、状態報知灯は、ケース体に設けた反射板を介して開口部上方に向けて照射するように構成されている請求項２乃至４の何れか一項に記載の手動式建築用シャッター装置における防犯装置。
【発明の詳細な説明】
【技術分野】
【０００１】
本発明は、建築物の開口部に建付けられ、手動による操作に基づいて開閉作動するシャッターカーテンを備えた手動式建築用シャッター装置における防犯装置の技術分野に属するものである。
【背景技術】
【０００２】
一般に、家宅侵入等の犯罪が多発している昨今においては、建築物の開口部に設けられる開閉装置に防犯装置を設けて、侵入者が不正侵入しようとした場合に、警報音を発する等の防犯作動により侵入者を威嚇して、内部への侵入を未然に防ぐことが提唱される。ところが、このような防犯装置は電源を必要とするため、予め電気配線の必要がない開閉装置にこのような防犯装置を設ける場合では、別途配線作業が必要となるため、既設の開閉装置にこのような防犯装置を設けるのは、作業が煩雑になるという問題があった。
【０００３】
この改善策として、窓サッシに設けられる施錠装置に連動して作動する防犯装置を構成し、侵入者が窓サッシから不正侵入しようとした場合に、防犯装置に搭載したバッテリにより警報音が発音して侵入者を威嚇するようにしたものが提唱されている。
【特許文献１】特開２００４−１６９４８７
【発明の開示】
【発明が解決しようとする課題】
【０００４】
ところで、一般住宅の窓サッシの屋外側にはシャッター装置が設けられることがあり、両者が閉鎖されている住宅に不正侵入する場合では、まず、シャッター装置が抉じ開けられ、続いて窓サッシを開放して侵入することになる。このため、前記従来のように、窓サッシに防犯装置が設けられているだけでは充分でなく、侵入者を迅速に検知して威嚇するためには、防犯装置をシャッター装置にも設けることが望ましい。しかるに、従来、電動式のシャッター装置に防犯装置を設けたものは既に提唱されているが、電源を必要としない手動式のシャッター装置に防犯装置を設けたものについての提唱はない。そこで、窓サッシに設けた前記従来の防犯装置のような構造をシャッター装置に採用することが考えられるが、シャッター装置と窓サッシとは基本的な構成、構造が異なり、窓サッシ用の防犯装置をそのままシャッター装置用に採用することはできず、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部に設けたシャッターカーテンを手動で開閉操作する手動式の建築用シャッター装置において、シャッターカーテンに検知体を設ける一方、躯体側には、電源供給手段と、前記検知体の検知に基づいてシャッターカーテンの全閉状態を検知して全閉検知信号を出力する全閉検知手段と、シャッターカーテンの開閉状態を報知する報知手段と、報知手段の報知作動を規制するべく報知規制信号を出力する報知規制手段と、報知規制信号の入力がない状態で全閉検知信号の入力がなくなることを抉じ開けと判断し、報知手段を報知作動させる防犯制御手段とにより構成された防犯装置が設けられている手動式建築用シャッター装置における防犯装置である。
請求項２の発明は、防犯装置は、開閉方向に長く形成された薄型長尺状のケース体に、各手段を開閉方向並列状に収容するものとする一方、前記ケース体は、シャッターカーテンの両側縁部を移動案内するガイドレールの下端部に設けられている請求項１に記載の手動式建築用シャッター装置における防犯装置である。
請求項３の発明は、報知手段は、発音口から警報音を発音する発音装置により構成されるものとし、発音装置は、ケース体の側面に近接対向して配設され、警報音は、ケース体側面の反射音とともにケース体開口部から外部に放出するように構成されている請求項２に記載の手動式建築用シャッター装置における防犯装置である。
請求項４の発明は、報知規制手段は、マイクロスイッチにより構成されるものとし、ケース体には、マイクロスイッチのスイッチ部を出没操作するためのスイッチ操作体が、スイッチ部の外形より大きな操作面積を備えて形成されている請求項２または３に記載の手動式建築用シャッター装置における防犯装置である。
請求項５の発明は、報知手段は、状態報知灯により構成されるものとし、状態報知灯は、ケース体に設けた反射板を介して開口部上方に向けて照射するように構成されている請求項２乃至４の何れか一項に記載の手動式建築用シャッター装置における防犯装置である。
【発明の効果】
【０００６】
請求項１の発明とすることにより、電気配線がなされていない手動式シャッター装置に、簡単、かつ、容易に防犯装置を設けることができる。
請求項２の発明とすることにより、防犯装置をコンパクトにできるうえ、意匠的にも優れる。
請求項３の発明とすることにより、防犯装置をコンパクト化したものでありながら、警報音を大きくすることができ、侵入者に対する威嚇を効果的に発揮できる。
請求項４の発明とすることにより、防犯装置をコンパクト化したものでありながら、操作性の優れた防犯装置を提供できる。
請求項５の発明とすることにより、シャッターカーテンの開閉状態の確認が確実になるうえ、状態報知灯の上方からの視認性が優れる。
【発明を実施するための最良の形態】
【０００７】
つぎに、本発明の実施の形態について、図面に基づいて説明する。
図面において、１は躯体開口部に配されるサッシ窓Ｓの外方を開閉する手動式シャッター装置のシャッターカーテンであって、該シャッターカーテン１は、左右方向長尺状のスラット１ａの複数枚を揺動自在な状態で上下方向一連状に連結して構成されている。前記シャッターカーテン１の上端縁部は、複数の連結金具１ｂを介し、開口部上方の躯体に固定されるシャッターケース２に回転自在に内装される巻き取りドラム３に連結されている。そして、前記巻き取りドラム３には、シャッターカーテン１の自重にバランスする図示しないバランス弾機が弾装されており、シャッターカーテン１を手動操作することに基づいて、シャッターカーテン１の自重に基づく閉鎖作動がなされる一方、該閉鎖作動時に付勢されたバランス弾機の付勢力によりシャッターカーテン１の開放作動がなされるように構成されており、これらの基本構成は、何れも従来の手動式シャッター装置と同様の構成となっている。
【０００８】
４は、開口部の左右両側部を構成する躯体に一体的に固定される一対のガイドレールであって、各ガイドレール４は、それぞれ屋内外一対の溝側片４ａ、４ｂと、これら溝側片４ａ、４ｂとを連結する溝底片４ｃとにより構成されるガイド溝４ｄに、シャッターカーテン１の左右両側縁部を遊嵌させることにより、シャッターカーテン１の開閉作動の移動案内をするように構成されている。そして、これら左右のガイドレール４のうち、一方のガイドレール４（図１の内観正面図において左側であり、以後の説明は、図１における配設状態を基準として説明する）の屋内側溝側片４ａには、後述するように、下端部屋内側面に位置して本発明が実施された防犯装置５が一体的に固定されている。
【０００９】
一方、前記シャッターカーテン１の下端部には座板１ｃが連結されており、該座板１ｃの屋内側面にはストッパ部材６が左右方向両端部に位置して設けられるが、これらストッパ部材６は、左右方向外端部がガイドレールガイド溝４ｄの溝開口に近接する状態で固定されるように設定されている。前記各ストッパ部材６は、屋内側に突出する突片６ａがそれぞれ一体形成されており、これら突片６ａは、シャッターカーテン１の開放時に、シャッターケース２の下面により構成されるまぐさ２ａのうち、屋内側に位置するまぐさ２ａに当接することにより、シャッターカーテン１の上動規制をするように構成されている。そして、本実施の形態において、これらストッパ部材６のうち、防犯装置５配設側のストッパ部材６には、突片６ａの下方に、本発明の検知体に相当するマグネット７が設けられており、該マグネット７は、ガイドレール４側の端面７ａが外部に露出する状態でガイドレール４に配した防犯装置５に近接対向するように設けられている。
【００１０】
さて、前記防犯装置５は、上下方向（シャッターカーテン１の開閉方向）に長く、ガイドレール４の溝側片４ａ、４ｂよりも幅狭な左右幅を有し、屋内外方向幅が薄型に形成された薄型長尺状のケーシング８に必要な部材を内装して構成されている。前記ケーシング８は、ガイドレール４に取り付けた状態で屋内側に位置する側片を底片９ａとし、該底面９ａの外周縁から屋外側に向けて延出する上下、左右の側片９ｂ、９ｃ、９ｄ、９ｅを備えたボックス体９と、該ボックス体９の開口を覆蓋し、屋外側に位置する側片としてのカバー体１０とにより構成されている。そして、防犯装置５は、ケーシング８（ボックス体９とカバー体１０）の上下に屋内外方向貫通状に形成された固定用貫通孔８ａ、８ｂを挿通する螺子８ｃを用いてガイドレール屋内側溝側片４ａに一体的に固定されている。
因みに、本実施の形態では、防犯装置５を左側のガイドレール４の屋内側溝側片４ａに設ける構成としているが、設置環境によっては、右側のガイドレールの屋内側に設けることも想定される。このため、本実施の形態の防犯装置５は、屋内外方向に貫通する固定用貫通孔８ａ、８ｂを用いてガイドレール４に固定する構成とすることにより、左右何れのガイドレール４にも固定することができるように構成されている。
【００１１】
前記ボックス体９の底片９ａには上下方向に三箇所に位置して仕切り片９ｆがそれぞれ形成されるとともに、制御基板１１が固定されている。前記仕切り片９ｆは、ケーシング８内の下方から上方に向けて四つの第一〜第四収容部８ｄ、８ｅ、８ｆ、８ｇに仕切っており、これら第一〜第四収容部８ｄ、８ｅ、８ｆ、８ｇには、後述するように、防犯装置５を構成するための各種部材（本発明の各手段）が分散され、上下方向に並列状となって制御基板１１に固定されており、これら各種部材を制御基板１１上において適宜電気的な接続を行うことにより、手動式シャッター装置の防犯装置５が構成されている。
【００１２】
前記ケーシング８の最下位に位置する第一収容部８ｄには、本発明の全閉検知手段を構成し、マグネット７を検知することによりシャッターカーテン１の全閉姿勢を検知して全閉検知信号を出力する検知センサ１２と、シャッターカーテン１の開放を報知するための報知手段を構成し、警報音の発音装置としてのブザー装置１３とが設けられている。そして、該第一収容部８ｄを構成する右側片９ｅおよび下側片９ｃには複数の開口９ｇが開設されており、これら開口９ｇを介してブザー装置１３による警報音の放出がなされるように設定されており、これら開口９ｇには、ケーシング８内への水、埃、虫等の異物の侵入を防止するためのスピーカーフィルター１４が一体に設けられている。
前記検知センサ１２はホールＩＣにより構成されており、ケーシング８の最下端に位置し、左右方向内側（右側片９ｅ）に近接して制御基板１１に固定されており、シャッターカーテン１が全閉姿勢になって、スピーカーフィルター１４を介してシャッターカーテン１下端部のストッパ部材６に配されたマグネット端面７ａが近接対向することにより、全閉検知信号を出力するように設定されている。
【００１３】
一方、ブザー装置１３は、検知センサ１２の上方で、かつ、ボックス体９の左側片９ｄ側に偏寄して制御基板１１に固定されるコンパクトな部材であり、該ブザー装置１３は、本実施の形態では電子音からなる警報音を発音口１３ａから放出するように構成されており、前記発音口１３ａは、本実施の形態では、左側片９ｄに近接対向して配設されている。これによって、ブザー装置１３が発音したとき、ブザー音（警報音）は、発音口１３ａから直接スピーカーフィルター１４を介して外部に放出される直接音とともに、図７の矢印で示すように、左側片９ｄにより反射した反射音がブザー装置１３自体や、ケーシング８を構成する底片９ａ、カバー体１０等に反射した反射音がスピーカーフィルター１４を介して外部に放出され、ブザー音が増幅されたような音量の大きい警報音が発生するように構成されている。
尚、ブザー装置１３は、ケーシング８下端部の第一収容部８ｄに設けられているが、このようにケーシング８下端部に配設することにより、後述するように、シャッターカーテン１の下端部が僅かに抉じ開けられたような場合にブザー装置１３が発音したとき、前記下方に形成される僅かな隙間から侵入者がいる外部に向けてブザー音を放出することができ、侵入者に対して効果的な威嚇をすることが可能となる。さらには、本実施の形態のように、開口部の下端部に水切り板Ｗが設けられているような場合に、ブザー音を水切り板Ｗに反射させることができて、一層音量の大きい警報音とすることが可能となる。
【００１４】
第一収容部８ｄの上方の第二収容部８ｅには、本発明の防犯制御手段に相当するマイクロコンピュータで構成される防犯制御部１５が設けられており、該第二収容部８ｅの上方の第三収容部８ｆには、電源を供給する電源供給手段に相当するバッテリユニット１６が設けられるように構成されている。
つまり、第三収容部８ｆを構成する右側片９ｅは、上下方向略全長にわたる装着口９ｈが切り欠き形成されており、該装着口９ｈの下端縁にはケーシング８の内方向に向けて突出する段差部９ｉが形成されている一方、装着口９ｈの上端縁は、ケーシング８の内方に向けて凹溝状の凹部９ｊに形成されている。
【００１５】
そして、前記装着口９ｈからバッテリユニット１６が着脱自在に組み込まれるように構成されている。前記バッテリユニット１６は、装着口９ｈに嵌合するベース部１７ａを備えたケース体１７を備えて構成されており、ベース部１７ａには、ケーシング８の内方に向けて延出する状態でバッテリ１６ａを収容するためのバッテリホルダ１７ｂが一体形成されている。ここで、バッテリ１６ａは、円板形状のものを二個用いる構成となっており、バッテリホルダ１７ｂには、二個のバッテリ１６ａの表裏方向が予め設定される状態で、上下方向に隣接して抜け止め状に保持されるように構成されている。
このようにバッテリ１６ａを保持したバッテリユニット１６は、ケース体ベース部１７ａの下端部を装着口９ｈ下端部の段差部９ｉに突き当て、該突き当て部を支点として、ケース体ベース部１７ａの上方を装着口９ｈ側に揺動させることにより、バッテリホルダ１７ｂ部位がケーシング８内に収容されるように設定され、ベース部１７ａの上端部に形成された弾性変形自在なフック部１７ｃを、装着口９ｈの上方に形成された凹部９ｊに軽圧入することにより、フック部１７ｃが弾性変形して凹部９ｊ内に嵌入し、フック部１７ｃに形成された係止爪１７ｄが凹部９ｊの開口側に形成された係止受け部９ｋに係止するように設定されている。これによって、バッテリユニット１６は、ベース部１７ａの外面が装着口９ｈの開口端面と面一状となる状態で装着口９ｈに内嵌され、かつ、第三収容部８ｆに抜け止めされる状態で保持されるように設定されている。
尚、１７ｅは、装着口９ｈとベース部１７ａとのあいだに介装されるシール材である。
【００１６】
さらに、前記バッテリユニット１６の収容状態において、各バッテリ１６ａには制御基板１１から引出された各一対の第一、第二端子プレート１１ａ、１１ｂが接続されることにより制御基板１１との電気的な接続がなされるように設定されている。そして、第一端子プレート１１ａは各バッテリ１６ａの一方のディスク面にそれぞれ当接し、第二端子プレート１１ｂは各バッテリ１６ａの外周面にそれぞれ当接するように設定されている。この場合に、第二端子プレート１１ｂは、第三収容部８ｆにバッテリユニット１６が組み込まれてバッテリ１６ａが所定の収容姿勢となることに伴い弾性変形するようスプリングバックされる状態で形成されており、バッテリユニット１６の組み込み状態において、バッテリ１６ａをケーシング８の外方（装着口９ｈ側）に向けて付勢するように設定されている。これによって、バッテリ１６ａが消耗して交換が必要になった場合に、バッテリユニット１６をケーシング８から取り外す際に、フック部１７ｃを下方に押しやって弾性変形させて、係止爪１７ｄと係止受け部９ｋとの係止を解除させることにより、第二端子プレート１１ｂがバッテリ１６ａをケーシング８の外側に押し出すように作用して、バッテリユニット１６を第三収容部８ｆから容易に取り外すことができるように構成されている。因みに、第二端子プレート１１ｂをスプリングバックさせることにより、バッテリユニット１６を組み込む際に、第二端子プレート１１ｂによりケーシング８から押し出され、バッテリユニット１６が正常に組み込まれているか否かを容易に目視することができるという利点もある。
【００１７】
また、ケーシング８の最上位に位置する第四収容部８ｇには、防犯装置５の報知手段を構成し、防犯制御部１５の状態表示をするための状態報知灯となる発光ダイオード１８が収容されるとともに、報知規制手段を構成し、スイッチ部１９ａを操作されることにより報知規制信号を出力してブザー装置１３の報知作動（発音）を規制するスイッチとして、コンパクト化が図られたマイクロスイッチで構成される報知規制スイッチ１９が収容されている。
前記発光ダイオード１８は、第四収容部８ｇの下方に位置して設けられているが、該発光ダイオード１８は左側ほど高位となる傾斜状に設けられて、第四収容部８ｇを構成する右側片９ｅの下方部位を左上方から照射するよう設定されている。そして、発光ダイオード１８の上方部位で、かつ、右側片９ｅ側に偏寄して報知規制スイッチ１９が配されるが、該報知規制スイッチ１９は、スイッチ部１９ａが右側片９ｅ側に突出する状態で設けられている。
【００１８】
一方、第四収容部８ｇを構成する右側片９ｅには、発光ダイオード１８が配設された位置よりも下方に変位して開口９ｍが形成されており、該開口９ｍに、発光ダイオード１８の照射方向先端側に位置し、照射方向に直交する第一傾斜面２０ａを備えた反射体２０が設けられている。前記反射体２０には、第一傾斜面２０ａの右方に隣接して、右方ほど低位となって上方を向く第二傾斜面２０ｂが形成されており、さらに、前記第一傾斜面２０ａを構成する下面には、例えばアルミ製薄板材により構成される反射板２０ｃが貼着等の手段により一体化されている。そして、発光ダイオード１８が点灯したとき、光は、図９（Ａ）の説明図に示すように、反射板２０ｃにより反射された光が、第二傾斜面２０ｂを介して右斜め上方、即ち、開口部の上方に向けて放射されるように設定されており、これによって、発光ダイオード１８が点灯した場合の視認性が向上するように構成されている。因みに、本発明の反射体２０は、第二傾斜面２０ｂの右端部と、ケーシング８の右側面９ｅの右端面とが面一状態になるように配設されており、右側面９ｅに開設された開口９ｍは、第一、第二傾斜面２０ａ、２０ｂとのあいだに配設されたプレート体２０ｄにより塞がれるように構成されている。
【００１９】
また、第四収容部８ｇを構成する右側片９ｅは、前記開口９ｍの上方部位が報知規制スイッチ１９のスイッチ部１９ａを操作するためのスイッチ操作体９ｎに構成されている。
つまり、スイッチ操作体９ｎは、右側片９ｅのスイッチ部１９ａ対向部位を含む上下部位である矩形状の部位を、下端部については右側片９ｅ一体化したままとし、残り三方部位を切り欠くことにより、スイッチ部１９ａよりも大きな外形を備えた左右方向変位自在な部材となる状態で切り欠き形成されている。さらに、スイッチ操作体９ｎは、スイッチ部１９ａを確実に操作させる変位が許容される上方部位が肉盛部９ｐとなって右方に膨出するように形成されており、右側片９ｅにおけるスイッチ操作体９ｎの操作部が特異形状となって、容易に識別することができるように構成されている。これによって、小型の報知規制スイッチ１９のスイッチ部１９ａを、操作面積の大きいスイッチ操作体９ｎにより操作することが可能となり、スイッチ部１９ａの確実な切り換え操作を、円滑、かつ、操作性よく行えるように構成されている。
【００２０】
尚、第四収容部８ｇの右側片９ｅには、化粧シート体２１が貼着等の手段により一体的に固着されているが、化粧シート体２１は、スイッチ操作体９ｎの肉盛部９ｐに対向する部位２１ａについては視認性の高い白色とし、しかも、エンボス加工が施されており、その他の部位は黒色に着色されている。これによって、報知規制スイッチ１９のスイッチ切り換え部であるスイッチ操作体肉盛部９ｐの視認性が一層高められるうえ、触っただけでも確認することができて、操作性のよい防犯装置５となるように構成されている。
また、化粧シート体２１の下方部位であって、反射体２０の第二傾斜面２０ｂ対向部位は、光の照射を損なうことのない透明部２１ｂに形成されている。
【００２１】
このように構成された防犯装置５は、防犯制御部１５に、検知センサ１２、ブザー装置１３、報知規制スイッチ１９、発光ダイオード１８等、必要な部材がそれぞれ接続され、バッテリ１６ａにより電源供給を受けることにより、シャッターカーテン１の防犯制御を行うように設定されている。そして、防犯制御部１５は、検知センサ１２がストッパ部材６に固定されたマグネット７を検知して、シャッターカーテン１の全閉検知信号を入力することに伴い防犯制御状態となり、この状態になると、防犯装置５の第四収容部８ｇの報知規制スイッチ１９のスイッチ部１９ａが押圧されることによる報知規制信号（制御解除信号）の入力がない状態で、全閉検知信号の入力がなくなった場合では、これを抉じ開けと判断して、ブザー装置１３を発音して侵入者を威嚇するとともに居住者に報知するように設定されている。また、報知規制信号の入力があって全閉検知信号の入力がなくなった場合では、これを通常の開放作動として、ブザー装置１３の発音を規制するように設定されている。
尚、発光ダイオード１８は、防犯制御部１５が防犯制御状態に切り換わったとき、報知規制スイッチ１９の操作がなされたとき、バッテリ１６ａを交換したとき等、防犯装置５の状態をシャッターカーテン１の操作者に報知するように構成されている。
【００２２】
つぎに、防犯装置５の防犯制御部１５による防犯制御手順の一例について、図１１のフローチャートに基づいて説明する。
防犯装置５のケーシング８にバッテリユニット１６が組み込まれると、防犯制御部１５は初期設定を行い、続いて、検知センサ１２からの全閉検知信号の入力があるか否かを判断する。そして、全閉検知信号の入力があると判断すると防犯制御状態となるが、このとき、防犯制御部１５は、ブザー装置１３を予め設定される時間（例えば二秒）のあいだ連続鳴動する等の第一ブザー音を鳴動させるとともに、発光ダイオード１８を予め設定される時間（例えば二秒）のあいだ連続点灯する等の第一点灯させて、シャッターカーテン１の操作者（使用者）に、防犯制御部１５が防犯制御状態になったことを報知するように設定されている。
【００２３】
前記防犯制御状態になると、防犯制御部１５は、スイッチ操作体９ｎ（化粧シート体膨出部２１ａ）の押し操作に基づく報知規制スイッチ１９のスイッチ部１９ａの切り換えがなされて、防犯制御状態を解除する報知規制信号（制御解除信号）の入力がなされたか否かの判断をするように設定されている。そして、防犯制御部１５は、報知規制信号の入力があると判断した場合では、防犯制御状態を解除する一方で、ブザー装置１３を予め設定される時間（例えば一秒）のあいだ連続鳴動する等の第二ブザー音を鳴動させるとともに、発光ダイオード１８を予め設定される時間（例えば五秒）のあいだ点滅点灯する第二点灯させて、シャッターカーテン１の操作者（使用者）に、防犯制御部１５が防犯制御状態を解除したことを報知するように設定されている。尚、ブザー装置１３の第一、第二ブザー音、および、発光ダイオード１８の第一、第二点灯とを、同じ鳴動状態、点灯状態としてもよい。
さらに、報知規制信号の入力がなされた状態では、予め設定される第一タイマ時間（例えば１０秒）に設定された第一タイマをセットし、第一タイマ時間のあいだに全閉検知信号の入力がなくなった場合では、シャッターカーテン１が正常に開放されたと判断し、防犯制御部１５はブザー装置１３の鳴動を規制した状態で防犯制御状態（初期状態）に復帰する（戻る）ように設定されている。これに対し、スイッチ操作体９ｎ（化粧シート体膨出部２１ａ）の押し操作がなされてから第一タイマ時間を経過したにもかかわらず、全閉検知信号の入力がなされたままの状態では、防犯制御部１５は防犯制御状態に復帰するが、このとき、発光ダイオード１８を所定時間のあいだ点滅点灯等の所定の点灯状態とするとともに、ブザー装置１３を所定時間のあいだ所定のブザー音で鳴動させて、防犯制御状態の解除中にシャッターカーテン１の開放がなされなかったことを使用者に報知するように構成することも可能である。
【００２４】
一方、防犯制御状態において、報知規制信号が入力されないにもかかわらず全閉検知信号の入力がない場合では、防犯制御部１５は、侵入者による抉じ開けと判断し、ブザー装置１３を予め設定される時間（例えば三分）のあいだ連続鳴動させる等の第三ブザー音（本発明の警報音に相当、威嚇音）を鳴動させるとともに、発光ダイオード１８を予め設定される時間（例えば三分）のあいだ点滅点灯する等の第三点灯させて、侵入者を威嚇するとともに、居住者等、周囲の人に報知するように設定されている。
ここで、通常使用の過程で、スイッチ操作体９ｎの押し操作（報知規制スイッチ１９の操作）を忘れてシャッターカーテン１を開放させてしまうことが想定され、その場合では、第三ブザー音が三分間のあいだ鳴動し続けてしまい騒音となるが、これに対処するため、本実施の形態では、消音制御を行うことで三分間のあいだ鳴動する第三ブザー音をそれより前の段階で消音し、防犯制御状態に復帰することができるように構成されている。
つまり、本実施の形態では、防犯制御部１５は、シャッターカーテン１が再度全閉状態に閉鎖されるとともに、スイッチ操作体９ｎが押し操作されて報知規制スイッチ１９のスイッチ部１９ａが切り換えられて、全閉検知信号と報知規制信号との入力がなされることを消音指令と判断して、第三ブザー音を消音するように構成され、これによって、シャッターカーテン１の外部（屋外側）から消音制御することができないように構成されている。
【００２５】
叙述の如く構成された本形態において、防犯装置５は、電源供給手段であるバッテリユニット１６が組み込まれて構成されているので、電源配線のない手動式シャッター装置であっても、配線作業等をすることなく、防犯装置５を簡単、かつ、容易に取付けることができて、高い防犯性を備えることが可能となる。しかも、このものでは、通常のシャッターカーテン１の開放作動と、侵入者による抉じ開けとを区別してブザー装置１３を発音（鳴動）させることができるので、操作性のよいものとすることができる。
【００２６】
このように、本発明が実施されたものにあっては、電源配線のない手動式シャッター装置についても、防犯装置５を容易に設けることができるものであるが、さらに、このものでは、防犯装置５を薄型長尺状に形成し、開閉方向に長く配設されるガイドレール４の下端部に設ける構成としたので、防犯装置５をコンパクトにすることができて邪魔になるようなことがなく、意匠的にも優れたものとすることができる。
【００２７】
さらに、このものでは、コンパクト化を果すために小型のブザー装置１３を設けたものでありながら、反射音を利用する構成とすることにより、ブザー音を増幅（拡声）した状態で発音させることができて、侵入者に対する威嚇を効果的に発揮することができる。
【００２８】
また、このものにあっては、コンパクト化を果すために設けられる報知規制スイッチ１９のスイッチ部１９ａの操作を、操作面積が大きくなったスイッチ操作体９ｎにより操作する構成としたので、操作性に優れた防犯装置５とすることができる。
【００２９】
しかも、このものでは、状態報知手段として発光ダイオード１８が設けられているので、防犯装置５の制御状態を操作者が確認、把握することを一層確実に行うことができるが、さらに、発光ダイオード１８の光は、反射体２０を配設することにより、開口部の上方に向けて、しかも、反射光も含めて放射される構成としたので、視認性が一層向上する。
【００３０】
尚、本発明は前記実施の形態に限定されないことは勿論であって、前記第一の実施の形態の防犯装置５において、ケーシング８には、屋内外方向に貫通する固定用貫通孔８ａ、８ｂが形成されているとともに、ケーシング８の上下側片からそれぞれ上下に突出する状態で取り付け片８ｈ、８ｉが形成されている。これによって、図１２、図１３の第二、第三の実施の形態に示すように、異なる構成のガイドレールであっても防犯装置５を設けることができ、これによって、防犯装置５の汎用性が高められるように構成されている。
図１２に示す第二の実施の形態のガイドレールは、開口部の側部に立設される枠体２２の屋外側半部に、屋内側の支持片２２ａと屋外側の溝側片２２ｂとを形成することにより構成されており、前記枠体２２の屋内側部位には、屋内側枠片２２ｃが形成されている。一方、防犯装置５は固定用貫通孔８ａ、８ｂを用いて取り付けブラケット５ａに固定されており、該取り付けブラケット５ａの上下に形成された取り付け片５ｂを、前記枠体２２の屋内側枠片２２ｃ下端部に切り欠かれた切り欠き孔の孔縁に固定することにより、防犯装置５を枠体２２内に組み込むことができるように構成されている。
一方、本実施の形態のストッパ部材２３は、屋内側に向けて突出する突片２３ａが形成され、該突片２３ａにマグネット２３ｂが収容されている。
【００３１】
さらに、図１３に示す第三の実施の形態のガイドレールは、開口部の側部に立設される枠体２４の一部に、屋内外の溝側片２４ａ、２４ｂにより構成されるガイド溝２４ｃが形成される構成となっており、ガイド溝２４ｃの屋内側に位置し、溝開口端とよりも左右方向外側に退避した位置に屋内側片２４ｄが形成されたものとなっている。この場合では、前記屋内側片２４ｄに防犯装置５のケーシング８を内嵌する貫通孔２４ｅを形成し、該貫通孔２４ｅに防犯装置５の左側半部を挿入し、屋内側片２４ｄに、上下の取り付け片８ｈ、８ｉを突き当てて螺子８ｊを螺合することにより、枠体（ガイドレール）２４に固定されている。一方、本実施の形態のストッパ部材２５は、屋内側に向けて突出し、防犯装置５に対向するマグネット支持部２５ａが形成され、該マグネット支持部２５ａにマグネット２５ｂが収容されている。
【００３２】
さらには、防犯装置を構成する報知規制手段を構成する報知規制スイッチに配線用のリード線を接続し、該リード線を外部に引き出せるように構成しておくことで、使用者の操作しやすいガイドレールの上方に別途報知規制手段を構成するスイッチを設けることも可能である。また、前述のようなリード線を備えた防犯装置は、防犯装置のない電動式のシャッター装置に接続することもでき、この場合では、リード線を操作スイッチの例えば停止スイッチに接続することで、シャッターカーテンの通常開放時に、予め停止スイッチを操作してから開放スイッチを操作することにより、報知手段が作動することなくシャッターカーテンを開放することができ、このような構成とすることで、別途部材を追加することなく防犯装置を取り付けることが可能となる。このように、防犯装置のリード線を、室内側に設けられた電動式シャッター装置の操作スイッチに接続することにより、シャッター装置が窓サッシの外部に設けられていて防犯装置が窓サッシの外側に設けられたとしても、窓サッシの内側の室内にいながらにして防犯装置の報知規制手段を操作することが可能となり、操作性の向上を図ることができる。
【図面の簡単な説明】
【００３３】
【図１】手動式シャッター装置のシャッターカーテンの一部を切り欠いた正面図である。
【図２】図２（Ａ）、（Ｂ）はそれぞれ手動式シャッター装置の一部を切り欠いた側面断面図、平面図である。
【図３】図３（Ａ）、（Ｂ）、（Ｃ）、（Ｄ）はそれぞれケーシングの正面図、側面図、背面図、底面図である。
【図４】図４（Ａ）、（Ｂ）、（Ｃ）はそれぞれ防犯装置の側面図、防犯装置からカバー体を取り外した状態の背面図、図４（Ｂ）のＸ−Ｘ断面図である。
【図５】図５（Ａ）、（Ｂ）、（Ｃ）、（Ｄ）、（Ｅ）はそれぞれボックス体の正面図、側面図、背面図、図５（Ｃ）におけるＸ−Ｘ断面図、図５（Ｂ）におけるＹ−Ｙ断面図である。
【図６】図６（Ａ）、（Ｂ）、（Ｃ）、（Ｄ）、（Ｅ）はそれぞれカバー体の正面図、側面図、背面図、図６（Ａ）のＸ−Ｘ断面図、底面図である。
【図７】第一収容部を説明する正面図である。
【図８】図８（Ａ）、（Ｂ）、（Ｃ）、（Ｄ）、（Ｅ）、（Ｆ）はそれぞれバッテリユニットの正面図、側面図、背面図、側面図、図８（Ｂ）におけるＸ−Ｘ断面図、平面図である。
【図９】図９（Ａ）、（Ｂ）、（Ｃ）、（Ｄ）はそれぞれ発光ダイオードの照射状態を説明する説明図、反射体の平面図、正面図、側面図である。
【図１０】図１０（Ａ）、（Ｂ）、（Ｃ）、（Ｄ）、（Ｅ）はそれぞれ化粧シート体の側面図、背面図、図１０（Ａ）におけるＸ−Ｘ断面図、Ｙ−Ｙ断面図、底面図である。
【図１１】防犯装置の制御部における制御手順を説明するフローチャート図である。
【図１２】図１２（Ａ）、（Ｂ）はそれぞれ第二の実施の形態における平面図、防犯装置を取り付けブラケットに取り付けた状態の斜視図である。
【図１３】図１３（Ａ）、（Ｂ）はそれぞれ第三の実施の形態における手動式シャッター装置の側面断面図、平面図である。
【符号の説明】
【００３４】
１    シャッターカーテン
４    ガイドレール
５    防犯装置
６    ストッパ部材
７    マグネット
８    ケーシング
１１    制御基板
１２    検知センサ
１３    ブザー装置
１５    防犯制御部
１６    バッテリユニット
１８    発光ダイオード
１９    報知規制スイッチ
【図１】
2008057230.tif 000003
【図２】
2008057230.tif 000004
【図３】
2008057230.tif 000005
【図４】
2008057230.tif 000006
【図５】
2008057230.tif 000007
【図６】
2008057230.tif 000008
【図７】
2008057230.tif 000009
【図８】
2008057230.tif 000010
【図９】
2008057230.tif 000011
【図１０】
2008057230.tif 000012
【図１１】
2008057230.tif 000013
【図１２】
2008057230.tif 000014
【図１３】
2008057230.tif 000015